(57)【特許請求の範囲】
【請求項１】
一対の入力端子と、
一対の第１出力端子と、
一対の第２出力端子と、
前記一対の入力端子間に電気的に接続されている一次巻線、前記一対の第１出力端子に電力を伝達するための第１の二次巻線、及び、前記一対の第２出力端子に電力を伝達するための第２の二次巻線を有するトランスと、
前記トランスの第１の二次巻線から前記一対の第１出力端子に電力を伝達するための第１電力伝達回路と、
前記トランスの第２の二次巻線から前記一対の第２出力端子に電力を伝達するための第２電力伝達回路と、
を備え、
前記一次巻線から前記第１の二次巻線の電力伝達効率は、前記一次巻線から前記第２の二次巻線への電力伝達効率より低く、
前記第１電力伝達回路は、前記第２電力伝達回路よりも電力伝達効率が低く、
前記一対の入力端子から前記一対の第１出力端子への電力伝達効率は、前記一対の入力端子から前記一対の第２出力端子への電力伝達効率よりも低い、
電源回路。
【請求項２】
前記一対の第１出力端子は、電力供給路を構成する能動素子の駆動回路に電気的に接続され、
前記一対の第２出力端子は、前記駆動回路を制御する制御回路に電気的に接続される、
請求項１の電源回路。
【請求項３】
磁気的に結合された一次巻線及び二次巻線を有する副トランスをさらに備え、
前記副トランスの前記一次巻線は、前記第１の二次巻線に電気的に接続されており、
前記副トランスの前記二次巻線は、前記一対の第１出力端子間に電気的に接続されており、
前記第２の二次巻線は、前記一対の第２出力端子間に、電気的に接続されている、
請求項１又は２の電源回路。
【請求項４】
前記一次巻線と前記第１の二次巻線との間に電気的に接続され、前記一次巻線の誘導電流が前記第１の二次巻線に流れ込むことを防止する逆流防止素子をさらに備える、
請求項３の電源回路。
【請求項５】
前記一次巻線と前記第１の二次巻線との結合係数は、前記一次巻線と前記第２の二次巻線との結合係数より小さい、
請求項１〜４のうちいずれか一つの電源回路。
【発明の詳細な説明】
【技術分野】
【０００１】
本発明は、電源回路、特に、能動素子を含む回路の駆動用の電源回路に関する。
【背景技術】
【０００２】
従来から、インバータ回路の駆動用の電源回路が提案されている（例えば、特許文献１参照）。特許文献１は、電源部からの電力をトランスによってインバータ回路のＩＧＢＴ（Insulated Gate Bipolar Transistor）素子のゲートドライブ回路と高圧側マイコン回路とに分配する電源回路を開示する。
【先行技術文献】
【特許文献】
【０００３】
【特許文献１】特開２０１３−５４６１号公報
【発明の概要】
【発明が解決しようとする課題】
【０００４】
特許文献１において、ＩＧＢＴ素子は、電力供給路を構成する能動素子であり、ノイズが生じやすい。このようなノイズは、ゲートドライブ回路から電源回路に伝達され、トランスの一次巻線の両端間の電圧に重畳される場合がある。このようなノイズは、例えば、一次巻線の両端間の電圧の不定期な局所的な変化や、ＩＧＢＴ素子の駆動周波数のずれを引き起こすことがあり、このために電源回路のトランスで音が発生する場合がある。
【０００５】
本発明の目的は、ノイズに起因するトランスでの音の発生を抑制できる電源回路を提供することである。
【課題を解決するための手段】
【０００６】
本発明に係る一態様の電源回路は、一対の入力端子と、一対の第１出力端子と、一対の第２出力端子と、トランスと、を備える。前記トランスは、前記一対の入力端子間に電気的に接続されている一次巻線と、前記一対の第１出力端子に電力を伝達するための第１の二次巻線と、前記一対の第２出力端子に電力を伝達するための第２の二次巻線を有するトランスと、を有する。前記一対の入力端子から前記一対の第１出力端子への電力伝達効率は、前記一対の入力端子から前記一対の第２出力端子への電力伝達効率よりも低い。
【発明の効果】
【０００７】
本発明に係る一態様の電源回路によれば、ノイズに起因するトランスでの音の発生を抑制できる。
【図面の簡単な説明】
【０００８】
【図１】本発明に係る一実施形態の電源回路の回路図である。
【図２】同上の電源回路を備えるコンバータの回路図である。
【図３】同上の電源回路のトランスの概略説明図である。
【図４】図４Ａは、比較例のＡ特性騒音スペクトルのグラフである。図４Ｂは、上記実施形態の電源回路のＡ特性騒音スペクトルのグラフである。
【図５】図５Ａは、上記実施形態の変形例の電力伝達回路の回路図である。図５Ｂは、上記実施形態の別の変形例の電力伝達回路の回路図である。
【発明を実施するための形態】
【０００９】
１．実施形態
本発明に係る一実施形態の電源回路１０は、図２に示すように、インバータ１００と共に、コンバータ（ＤＣ／ＡＣコンバータ）２００を構成する。コンバータ２００は、例えば、直流電源３００からの直流電力を元に交流電力を生成し、生成された交流電力を交流系統４００に出力する。直流電源３００は、例えば、太陽電池、蓄電池、燃料電池などである。交流系統４００は、例えば、商用交流電源の交流系統である。
【００１０】
インバータ１００は、図２に示すように、直流電源３００に接続される一対の直流入力端子１１１，１１２と、交流系統４００に接続される一対の交流出力端子１２１，１２２と、を備える。また、インバータ１００は、フルブリッジ回路を構成する４つのスイッチング素子（例えば、ＳｉＣトランジスタ）Ｓ１３１，Ｓ１３２，Ｓ１３３，Ｓ１３４を備える。また、インバータ１００は、４つのスイッチング素子Ｓ１３１，Ｓ１３２，Ｓ１３３，Ｓ１３４をそれぞれ駆動するための４つの駆動回路１３１，１３２，１３３，１３４を備える。インバータ１００は、さらに、４つの駆動回路１３１，１３２，１３３，１３４を制御して一対の交流出力端子１２１，１２２間に交流電圧を発生させる制御回路１４０を備える。また、インバータ１００は、ノイズを除去するために、２つのインダクタＬ１１１，Ｌ１１２と、コンデンサＣ１００と、を備える。なお、インバータ１００は、周知であるから、インバータ１００の詳細な説明は省略する。
【００１１】
電源回路１０は、直流電源３００からの直流電力を元に、４つの駆動回路１３１，１３２，１３３，１３４用の電力と、制御回路１４０用の電力と、を生成して供給する。
【００１２】
電源回路１０は、図１に示すように、一対の入力端子２１，２２と、三対の第１出力端子３１，３２（３１ａ，３２ａ；３１ｂ，３２ｂ；３１ｃ，３２ｃ）と、一対の第２出力端子４１，４２と、を備える。また、電源回路１０は、トランス５０と、スイッチング素子Ｓ１０と、３つの第１電力伝達回路６１（６１ａ，６１ｂ，６１ｃ）と、１つの第２電力伝達回路６２と、駆動回路７０と、を備える。
【００１３】
一対の入力端子２１，２２は、図２に示すように、直流電源３００に電気的に接続される。具体的には、入力端子２１（高電位側の入力端子）は直流電源３００の高電位側の端子に電気的に接続され、入力端子２２（低電位側の入力端子）は直流電源３００の低電位側の端子に電気的に接続される。
【００１４】
三対の第１出力端子３１，３２は、４つの駆動回路１３１，１３２，１３３，１３４に電力を供給するために、４つの駆動回路１３１，１３２，１３３，１３４に電気的に接続される。図２に示すように、第１出力端子３１ａ，３２ａは駆動回路１３１（高電位側のスイッチング素子Ｓ１３１の駆動回路）に電気的に接続され、第１出力端子３１ｂ，３２ｂは駆動回路１３２（高電位側のスイッチング素子Ｓ１３２の駆動回路）に電気的に接続される。第１出力端子３１ｃ，３２ｃは駆動回路１３３，１３４（低電位側のスイッチング素子Ｓ１３３，Ｓ１３４の駆動回路）に電気的に接続される。スイッチング素子Ｓ１３１，Ｓ１３２，Ｓ１３３，Ｓ１３４は、各々、電力供給路（インバータ１００）を構成する能動素子である。したがって、三対の第１出力端子３１，３２の各々は、電力供給路を構成する能動素子の駆動回路に電気的に接続される。
【００１５】
一対の第２出力端子４１，４２は、制御回路１４０に電力を供給するために、制御回路１４０に電気的に接続される。
【００１６】
トランス５０は、一次巻線５１と、３つの第１の二次巻線５２１（５２１ａ，５２１ｂ，５２１ｃ）と、１つの第２の二次巻線５２２と、を備えている。トランス５０は絶縁トランスであり、一次巻線５１は第１の二次巻線５２１及び第２の二次巻線５２２から電気的に絶縁されているが磁気的に結合されている。また、トランス５０は、任意の要素として、コア５３（図３参照）を備える。
【００１７】
一次巻線５１は、一対の入力端子２１，２２間に電気的に接続されている。一次巻線５１は、磁界を互いに強め合う第１の一次巻線５１１と第２の一次巻線５１２との直列回路である。図１に示すように、第１の一次巻線５１１は、第１端が入力端子２１に電気的に接続され、第２端が第２の一次巻線５１２の第１端に電気的に接続されている。第２の一次巻線５１２は、第２端がスイッチング素子Ｓ１０を介して入力端子２２に電気的に接続されている。スイッチング素子Ｓ１０は、例えば、ＭＯＳＦＥＴ（metal-oxide-semiconductor field-effect transistor）である。
【００１８】
駆動回路７０は、例えば、電源回路１０をフライバック方式のコンバータとして機能させるために、スイッチング素子Ｓ１０を制御するように構成される。駆動回路７０は、例えば、スイッチング素子Ｓ１０をＰＷＭ（pulse width modulation）制御するＩＣ（integrated circuit）回路である。なお、駆動回路７０は、トランス５０に設けられる補助巻線を備え、補助巻線による電圧をスイッチング素子Ｓ１０に与える回路であってもよい。つまり、電源回路１０は、自励型であってもよいし、他励型であってもよい。
【００１９】
第１の二次巻線５２１ａは一対の第１出力端子３１ａ，３２ａに、第１の二次巻線５２１ｂは一対の第１出力端子３１ｂ，３２ｂに、第１の二次巻線５２１ｃは一対の第１出力端子３１ｃ，３２ｃに、それぞれ、電力を伝達するために使用される。第２の二次巻線５２２は、一対の第２出力端子４１，４２に電力を伝達するために使用される。
【００２０】
トランス５０では、一次巻線５１と、３つの第１の二次巻線５２１ａ，５２１ｂ，５２１ｃと、１つの第２の二次巻線５２２とは、図３に示すように、配置されている。詳細には、第１の二次巻線５２１ｂは第１の二次巻線５２１ｃの内側に配置され、第１の二次巻線５２１ａは第１の二次巻線５２１ｂの内側に配置されている。第２の一次巻線５１２は第１の二次巻線５２１ａの内側に配置され、第１の一次巻線５１１は第２の一次巻線５１２の内側に配置されている。第２の二次巻線５２２は、第２の一次巻線５１２と第１の一次巻線５１１との間に配置されている。
【００２１】
トランス５０では、第１の一次巻線５１１及び第２の一次巻線５１２は、第１の二次巻線５２１ａ，５２１ｂ，５２１ｃのどれよりも内側に位置している。また、第２の二次巻線５２２は、第１の一次巻線５１１と第２の一次巻線５１２との間に位置している。したがって、一次巻線５１と第１の二次巻線５２１ａとの結合係数、一次巻線５１と第１の二次巻線５２１ｂとの結合係数、及び一次巻線５１と第１の二次巻線５２１ｃとの結合係数は、いずれも、一次巻線５１と第２の二次巻線５２２との結合係数より小さい。一次巻線５１と第２の二次巻線５２２との結合係数に対する、一次巻線５１と第１の二次巻線５２１との結合係数の比は、特に限定されないが、例えば、約０．９〜１未満であってもよい。
【００２２】
つまり、一次巻線５１から第１の二次巻線５２１ａ，５２１ｂ，５２１ｃへの電力伝達効率はいずれも一次巻線５１から第２の二次巻線５２２への電力伝達効率より低い。これにより、簡単な構成で、一対の入力端子２１，２２から一対の第１出力端子３１，３２への電力伝達効率を、一対の入力端子２１，２２から一対の第２出力端子４１，４２への電力伝達効率よりも低くできる。電力伝達効率は、例えば、入力電力に対する出力電力の比で表される。
【００２３】
第１電力伝達回路６１は、トランス５０の第１の二次巻線５２１から一対の第１出力端子３１，３２に電力を伝達するための回路である。第１電力伝達回路６１は、トランス５０の第１の二次巻線５２１の両端間の電圧とほぼ等しい電圧を一対の第１出力端子３１，３２間に生じさせるように構成されている。第１電力伝達回路６１ａは、第１の二次巻線５２１ａと一対の第１出力端子３１ａ，３２ａとの間に介在されている。第１電力伝達回路６１ｂは、第１の二次巻線５２１ｂと一対の第１出力端子３１ｂ，３２ｂとの間に介在されている。第１電力伝達回路６１ｃは、第１の二次巻線５２１ｃと一対の第１出力端子３１ｃ，３２ｃとの間に介在されている。
【００２４】
３つの第１電力伝達回路６１ａ，６１ｂ，６１ｃは同じ回路構成である。第１電力伝達回路６１は、２つのダイオードＤ１１，Ｄ１２と、２つのコンデンサＣ１１，Ｃ１２と、トランスＴ１１（以下、「副トランス」ともいう）と、スイッチング素子Ｓ１１と、２つの抵抗Ｒ１１，Ｒ１２を備える。
【００２５】
トランスＴ１１は、磁気的に結合された一次巻線Ｌ１１及び二次巻線Ｌ２１を有する。また、トランスＴ１１は、補助巻線Ｌ３１を有する。トランスＴ１１は、例えば、絶縁トランスである。
【００２６】
ダイオードＤ１１は、図１に示すように、アノードが第１の二次巻線５２１の第１端に電気的に接続され、カソードがコンデンサＣ１１を介して第１の二次巻線５２１の第２端に電気的に接続されている。つまり、ダイオードＤ１１とコンデンサＣ１１とは整流回路を構成している。ダイオードＤ１１は、一次巻線Ｌ１１と第１の二次巻線５２１との間に電気的に接続され、一次巻線Ｌ１１の誘導電流が第１の二次巻線５２１に流れ込むことを防止する逆流防止素子として機能する。一次巻線Ｌ１１は、第１端がダイオードＤ１１とコンデンサＣ１１との接続点に電気的に接続され、第２端がスイッチング素子Ｓ１１を介してコンデンサＣ１１と第１の二次巻線５２１との接続点に電気的に接続されている。つまり、トランスＴ１１の一次巻線Ｌ１１は、第１の二次巻線５２１に電気的に接続されている。
【００２７】
補助巻線Ｌ３１は、第１端が抵抗Ｒ１１，Ｒ１２との直列回路を介してダイオードＤ１１とコンデンサＣ１１との接続点に電気的に接続され、第２端がコンデンサＣ１１と第１の二次巻線５２１の第２端との接続点に電気的に接続されている。スイッチング素子Ｓ１１は、例えば、ＭＯＳＦＥＴである。スイッチング素子Ｓ１１は、ゲートが抵抗Ｒ１１，Ｒ１２との接続点に電気的に接続されている。したがって、主に、トランスＴ１１とスイッチング素子Ｓ１１とが、ＲＣＣ（Ringing Choke Converter）回路を構成している。なお、図１では、第１電力伝達回路６１ｂ及び第１電力伝達回路６１ｃについては、抵抗Ｒ１１，Ｒ１２及び補助巻線Ｌ３１を省略している。
【００２８】
ダイオードＤ１２は、図１に示すように、アノードが二次巻線Ｌ２１の第１端に電気的に接続され、カソードがコンデンサＣ１２を介して二次巻線Ｌ２１の第２端に電気的に接続されている。つまり、ダイオードＤ１２とコンデンサＣ１２とは整流回路を構成している。第１出力端子３１はダイオードＤ１２とコンデンサＣ１２との接続点に電気的に接続され、第１出力端子３２はコンデンサＣ１２と二次巻線Ｌ２１の第２端との接続点に電気的に接続されている。つまり、トランスＴ１１の二次巻線Ｌ２１は、一対の第１出力端子３１，３２間に電気的に接続されている。
【００２９】
第２電力伝達回路６２は、トランス５０の第２の二次巻線５２２から一対の第２出力端子４１，４２に電力を伝達するための回路である。第２電力伝達回路６２は、トランス５０の第２の二次巻線５２２の両端間の電圧とほぼ等しい電圧を一対の第２出力端子４１，４２間に生じさせるように構成されている。第２電力伝達回路６２は、第２の二次巻線５２２と一対の第２出力端子４１，４２との間に介在されている。第２電力伝達回路６２は、図１に示すように、ダイオードＤ２１と、コンデンサＣ２１と、を備える。ダイオードＤ２１は、アノードが第２の二次巻線５２２の第１端に電気的に接続され、カソードがコンデンサＣ２１を介して第２の二次巻線５２２の第２端に電気的に接続されている。第２出力端子４１はダイオードＤ２１とコンデンサＣ２１との接続点に電気的に接続され、第２出力端子４２はコンデンサＣ２１と第２の二次巻線５２２の第２端との接続点に電気的に接続されている。
【００３０】
第２電力伝達回路６２は、第１電力伝達回路６１とは異なり、トランスを備えていない。そのため、第２の二次巻線５２２は、一対の第２出力端子４１，４２間に電気的に接続されている。したがって、第２電力伝達回路６２は、第１電力伝達回路６１よりも電力伝達効率が高い（第１電力伝達回路６１は、第２電力伝達回路６２よりも電力伝達効率が低い）。第２電力伝達回路６２の電力伝達効率に対する、第１電力伝達回路６１の電力伝達効率の比は、特に限定されないが、例えば、約０．９〜１未満であってもよい。これにより、簡単な構成で、一対の入力端子２１，２２から一対の第１出力端子３１，３２への電力伝達効率を、一対の入力端子２１，２２から一対の第２出力端子４１，４２への電力伝達効率よりも低くできる。
【００３１】
電源回路１０では、一次巻線５１から第１の二次巻線５２１ａ，５２１ｂ，５２１ｃへの電力伝達効率はいずれも一次巻線５１から第２の二次巻線５２２への電力伝達効率より低い。また、第１の二次巻線５２１と一対の第１出力端子３１，３２との間に介在される第１電力伝達回路６１は、第２の二次巻線５２２と一対の第２出力端子４１，４２との間に介在される第２電力伝達回路６２よりも電力伝達効率が低い。したがって、電源回路１０では、一対の入力端子２１，２２から一対の第１出力端子３１，３２への電力伝達効率が、一対の入力端子２１，２２から一対の第２出力端子４１，４２への電力伝達効率よりも低い。一対の入力端子２１，２２から一対の第２出力端子４１，４２への電力伝達効率に対する、一対の入力端子２１，２２から一対の第１出力端子３１，３２への電力伝達効率の比は、特に限定されないが、例えば、約０．９〜１未満であってもよい。
【００３２】
インバータ１００において、スイッチング素子Ｓ１３１〜Ｓ１３４は、電力供給路を構成する能動素子であり、ノイズを生じやすい。特に、ＳｉＣトランジスタは、比較的大きなノイズを生じることがある。このようなノイズは、駆動回路（１３１〜１３４）から電源回路１０に伝達され、トランス５０の一次巻線５１の両端間の電圧に重畳される場合がある。このようなノイズは、例えば、一次巻線５１の両端間の電圧の不定期な局所的な変化や、スイッチング素子Ｓ１０の駆動周波数のずれを引き起こすことがあり、このためにトランス５０で音が発生する場合がある。ここで、電源回路１０では、一対の入力端子２１，２２から一対の第１出力端子３１，３２への電力伝達効率が、一対の入力端子２１，２２から一対の第２出力端子４１，４２への電力伝達効率よりも低い。そのため、駆動回路（１３１〜１３４）が一対の第１出力端子３１，３２に接続されていれば、駆動回路（１３１〜１３４）が一対の第２出力端子４１，４２に接続されている場合に比べて、ノイズが、トランス５０に伝達される過程において低減される。その結果、電源回路１０によれば、ノイズに起因するトランス５０での音の発生を抑制できる。
【００３３】
図４Ａは、比較例のＡ特性騒音スペクトルのグラフである。比較例では、一対の入力端子２１，２２から一対の第１出力端子３１，３２への電力伝達効率が、一対の入力端子２１，２２から一対の第２出力端子４１，４２への電力伝達効率と等しい。図４Ａに示すように、比較例では、１２〜１６ｋＨｚの領域にピークが存在し、音の発生が確認された。図４Ｂは、本実施形態の電源回路１０のＡ特性騒音スペクトルのグラフである。図４Ｂに示すように、電源回路１０では、１２〜１６ｋＨｚの領域にピークが存在せず、音の発生が確認できなかった。
【００３４】
インバータ１００において、制御回路１４０は、駆動回路１３１〜１３４を制御するための回路であり、駆動回路１３１〜１３４よりも大きな電力を必要とすることが多い。そのため、制御回路１４０が一対の第２出力端子４１，４２に接続されていれば、制御回路１４０が一対の第１出力端子３１，３２に接続されている場合に比べて、電力が効率よく制御回路１４０に伝達される。その結果、電力の利用効率の低下を抑制できる。
【００３５】
なお、直流電源３００からの電力のほとんどは、インバータ１００を通じて交流系統４００へ送られる。つまり、電源回路１０が直流電源３００から得る電力は、直流電源３００からインバータ１００に供給される電力に対して非常に少ない。例えば、直流電源３００からインバータ１００に供給される電力は約５５００Ｗであり、電源回路１０が直流電源３００から得る電力は約６〜７Ｗ程度である。したがって、全体の効率（コンバータ２００の電力変換効率）を考慮すれば、一対の入力端子２１，２２から一対の第１出力端子３１，３２への電力伝達効率の低下に起因する影響は無視できる。
【００３６】
２．変形例
本発明の実施形態は、上記の実施形態に限定されない。上記の実施形態は、本発明の目的を達成できれば、設計等に応じて種々の変更が可能である。
【００３７】
例えば、上記実施形態の変形例では、電源回路は、第１電力伝達回路６１の代わりに、図５Ａに示す第１電力伝達回路６１Ａを備えていてもよい。第１電力伝達回路６１Ａは、ダイオードＤ１２とコンデンサＣ１２との整流回路と、トランスＴ１１と、を備える。第１電力伝達回路６１Ａも、第１電力伝達回路６１と同様にトランスＴ１１を備えるから、第２電力伝達回路６２よりも電力伝達効率が低い。第１電力伝達回路６１Ａは、第１電力伝達回路６１よりも回路構成が簡単であるから、低コスト化を図ることができる。
【００３８】
他の変形例では、電源回路は、第１電力伝達回路６１の代わりに、図５Ｂに示す第１電力伝達回路６１Ｂを備えていてもよい。第１電力伝達回路６１Ｂは、ダイオードＤ１２とコンデンサＣ１２との整流回路と、トランスＴ１１と、ダイオードＤ１３と、を備える。ダイオードＤ１３は、アノードが第１の二次巻線５２１の第１端に電気的に接続され、カソードが一次巻線Ｌ１１の第１端に電気的に接続されている。第１電力伝達回路６１Ｂも、第１電力伝達回路６１と同様にトランスＴ１１を備えるから、第２電力伝達回路６２よりも電力伝達効率が低い。第１電力伝達回路６１Ｂは、第１電力伝達回路６１よりも回路構成が簡単であるから、低コスト化を図ることができる。また、第１電力伝達回路６１Ｂでは、ダイオードＤ１３が、一次巻線Ｌ１１の第１端から第１の二次巻線５２１の第１端へ電流が流れることを防止する。ダイオードＤ１３は、一次巻線Ｌ１１と第１の二次巻線５２１との間に電気的に接続され、一次巻線Ｌ１１の誘導電流が第１の二次巻線５２１に流れ込むことを防止する逆流防止素子として機能する。したがって、第１電力伝達回路６１Ｂによれば、一次巻線Ｌ１１の誘導電流（無効電流）に起因する電力伝達効率の低下を抑制できる。
【００３９】
なお、第１電力伝達回路において、ダイオードＤ１２とコンデンサＣ１２との整流回路は必須ではない。ただし、第１電力伝達回路は、ダイオードＤ１２とコンデンサＣ１２との整流回路と同等の機能を有する回路を有することが好ましい。
【００４０】
上記変形例から明らかなように、第１電力伝達回路は、第２電力伝達回路よりも電力伝達効率が低ければよい。なお、第１電力伝達回路は、必ずしもトランスを含んでいる必要はなく、第２電力伝達回路よりも電力伝達効率が低ければよい。例えば、第１電力伝達回路は、トランスの代わりに、あるいはトランスに加えてビーズコアを備えていてもよい。この場合、ビーズコアは、第１の二次巻線に直列に接続される。ただし、第１電力伝達回路は、トランス５０の第１の二次巻線５２１の両端間の電圧とほぼ等しい電圧を一対の第１出力端子３１，３２間に生じさせるように構成されることが好ましい。そのため、電力伝達効率を低下させるためにはトランスを利用することが好ましい。
【００４１】
第２電力伝達回路において、ダイオードＤ２１とコンデンサＣ２１との整流回路は必須ではない。ただし、第２電力伝達回路は、ダイオードＤ２１とコンデンサＣ２１との整流回路と同等の機能を有する回路を有することが好ましい。また、第２電力伝達回路は、図１に示される構成に限定されず、第１電力伝達回路よりも電力伝達効率が高ければよい。ただし、第２電力伝達回路は、トランス５０の第２の二次巻線５２２の両端間の電圧とほぼ等しい電圧を一対の第２出力端子４１，４２間に生じさせるように構成されていることが好ましい。
【００４２】
他の変形例では、電源回路は、トランスにおいて、一次巻線と第１の二次巻線との結合係数が一次巻線と第２の二次巻線との結合係数以上であってもよい。この場合であっても、電源回路では、第１電力伝達回路が第２電力伝達回路よりも電力伝達効率が低く、結果として、一対の入力端子から一対の第１出力端子への電力伝達効率が一対の入力端子から一対の第２出力端子への電力伝達効率よりも低ければよい。
【００４３】
他の変形例では、第１電力伝達回路は第２電力伝達回路以上の電力伝達効率を有していてもよい。この場合、トランスにおいて、一次巻線と第１の二次巻線との結合係数を一次巻線と第２の二次巻線との結合係数より小さくする。つまり、結果として、一対の入力端子から一対の第１出力端子への電力伝達効率が一対の入力端子から一対の第２出力端子への電力伝達効率よりも低ければよい。
【００４４】
つまり、電源回路は、一次巻線と第１の二次巻線との結合係数が一次巻線と第２の二次巻線との結合係数より小さい構成と、第１電力伝達回路が第２電力伝達回路よりも電力伝達効率が低い構成と、の少なくとも一方を備えていればよい。さらにいえば、電源回路は、一対の入力端子から一対の第１出力端子への電力伝達効率が、一対の入力端子から一対の第２出力端子への電力伝達効率よりも低ければよい。なお、一対の入力端子から一対の第２出力端子への電力伝達効率に対する一対の入力端子から一対の第１出力端子への電力伝達効率の比は、電源回路が用いられる回路に応じて適宜設定される。
【００４５】
他の変形例では、電源回路の第１出力端子の対の数は、１つでもよいし、２又は４以上であってもよい。また、電源回路の第２出力端子の対の数は、２以上であってもよい。第１出力端子の対の数及び第２出力端子の対の数は、インバータの回路構成に応じて適宜設定される。
【００４６】
上記実施形態の電源回路１０は、インバータ１００駆動用の電源回路であるが、他の変形例では、電源回路は、インバータ以外の、能動素子を含む回路（例えば、昇圧チョッパ、降圧チョッパ、スイッチング電源等）の駆動用の電源回路であってもよい。
【００４７】
３．本発明に係る態様
以上説明した実施形態及び変形例から明らかなように、本発明に係る第１の態様の電源回路（１０）は、一対の入力端子（２１，２２）と、一対の第１出力端子（３１，３２）と、一対の第２出力端子（４１，４２）と、トランス（５０）と、を備える。前記トランス（５０）は、前記一対の入力端子（２１，２２）間に電気的に接続されている一次巻線（５１）を有する。さらに、前記トランス（５０）は、前記一対の第１出力端子（３１，３２）に電力を伝達するための第１の二次巻線（５２１）と、前記一対の第２出力端子（４１，４２）に電力を伝達するための第２の二次巻線（５２２）と、を有する。電源回路（１０）は、前記一対の入力端子（２１，２２）から前記一対の第１出力端子（３１，３２）への電力伝達効率が、前記一対の入力端子（２１，２２）から前記一対の第２出力端子（４１，４２）への電力伝達効率よりも低い。第１の態様によれば、ノイズに起因するトランス（５０）での音の発生を抑制できる。
【００４８】
本発明に係る第２の態様の電源回路（１０）は、第１の態様との組み合わせにより実現され得る。第２の態様の電源回路（１０）では、前記一対の第１出力端子（３１，３２）は、電力供給路（インバータ１００）を構成する能動素子（Ｓ１３１〜Ｓ１３４）の駆動回路（１３１〜１３４）に電気的に接続される。前記一対の第２出力端子（４１，４２）は、前記駆動回路（１３１〜１３４）を制御する制御回路（１４０）に電気的に接続される。第２の態様によれば、能動素子（スイッチング素子Ｓ１３１〜Ｓ１３４）の比較的大きいノイズに起因するトランス（５０）での音の発生を抑制できる。
【００４９】
本発明に係る第３の態様の電源回路（１０）は、第１又は第２の態様との組み合わせにより実現され得る。第３の態様の電源回路（１０）は、磁気的に結合された一次巻線（Ｌ１１）及び二次巻線（Ｌ２１）をさらに有する副トランス（Ｔ１１）を備える。前記副トランス（Ｔ１１）の前記一次巻線（Ｌ１１）は、前記第１の二次巻線（５２１）に電気的に接続されている。前記副トランス（Ｔ１１）の前記二次巻線（Ｌ２１）は、前記一対の第１出力端子（３１，３２）間に電気的に接続されている。前記第２の二次巻線（５２２）は、前記一対の第２出力端子（４１，４２）間に、電気的に接続されている。第３の態様によれば、簡単な構成で、一対の入力端子（２１，２２）から一対の第１出力端子（３１，３２）への電力伝達効率を、一対の入力端子（２１，２２）から一対の第２出力端子（４１，４２）への電力伝達効率よりも低くできる。
【００５０】
本発明に係る第４の態様の電源回路（１０）は、第３の態様との組み合わせにより実現され得る。第４の態様の電源回路（１０）は、逆流防止素子（ダイオードＤ１１）をさらに備える。前記逆流防止素子（ダイオードＤ１１）は、前記一次巻線（Ｌ１１）と前記第１の二次巻線（５２１）との間に電気的に接続され、前記一次巻線（Ｌ１１）の誘導電流が前記第１の二次巻線（５２１）に流れ込むことを防止する。第４の態様によれば、一次巻線（Ｌ１１）の誘導電流（無効電流）に起因する電力伝達効率の低下を抑制できる。
【００５１】
本発明に係る第５の態様の電源回路（１０）は、第１〜第４の態様のいずれか一つとの組み合わせにより実現され得る。第５の態様の電源回路（１０）では、前記一次巻線（５１）と前記第１の二次巻線（５２１）との結合係数は、前記一次巻線（５１）と前記第２の二次巻線（５２２）との結合係数より小さい。第５の態様によれば、簡単な構成で、一対の入力端子（２１，２２）から一対の第１出力端子（３１，３２）への電力伝達効率を、一対の入力端子（２１，２２）から一対の第２出力端子（４１，４２）への電力伝達効率よりも低くできる。
【００５２】
本発明に係る第６の態様の電源回路（１０）は、第５の態様との組み合わせにより実現され得る。第６の態様の電源回路（１０）では、前記一次巻線（５１）は、磁界を互いに強め合う第１の一次巻線（５１１）と第２の一次巻線（５１２）との直列回路である。前記第２の一次巻線（５１２）は、前記第１の二次巻線（５２１）の内側に配置されている。前記第１の一次巻線（５１１）は、前記第２の一次巻線（５１２）の内側に配置されている。前記第２の二次巻線（５２２）は、前記第１の一次巻線（５１１）と前記第２の一次巻線（５１２）との間に配置されている。第６の態様によれば、簡単な構成で、一対の入力端子（２１，２２）から一対の第１出力端子（３１，３２）への電力伝達効率を、一対の入力端子（２１，２２）から一対の第２出力端子（４１，４２）への電力伝達効率よりも低くできる。
【００５３】
本発明に係る第７の態様のコンバータ（２００）は、電力供給路（インバータ１００）を構成する能動素子（スイッチング素子Ｓ１３１〜Ｓ１３４）と、前記能動素子の駆動回路（１３１〜１３４）と、前記駆動回路を制御する制御回路（１４０）と、を備える。前記コンバータ（２００）は、さらに、電源回路（１０）を備える。前記電源回路（１０）は、一対の入力端子（２１，２２）と、一対の第１出力端子（３１，３２）と、一対の第２出力端子（４１，４２）と、トランス（５０）と、を備える。一対の第１出力端子（３１，３２）は、前記駆動回路（１３１，１３２，１３３，１３４）に電気的に接続されている。一対の第２出力端子（４１，４２）は、前記制御回路（１４０）に電気的に接続されている。前記トランス（５０）は、一次巻線（５１）と、第１の二次巻線（５２１）と、第２の二次巻線（５２２）と、を有する。前記一次巻線（５１）は、前記一対の入力端子（２１，２２）間に電気的に接続されている。前記第１の二次巻線（５２１）は、前記一対の第１出力端子（３１，３２）に電力を伝達するために用いられる。前記第２の二次巻線（５２２）は、前記一対の第２出力端子（４１，４２）に電力を伝達するために用いられる。前記一対の入力端子（２１，２２）から前記一対の第１出力端子（３１，３２）への電力伝達効率は、前記一対の入力端子（２１，２２）から前記一対の第２出力端子（４１，４２）への電力伝達効率よりも低い。
【符号の説明】
【００５４】
１０  電源回路
２１  入力端子
２２  入力端子
３１，３１ａ，３１ｂ，３１ｃ  第１出力端子
３２，３２ａ，３２ｂ，３２ｃ  第１出力端子
４１  第２出力端子
４２  第２出力端子
５０  トランス
５１  一次巻線
５２１，５２１ａ，５２１ｂ，５２１ｃ  第１の二次巻線
５２２  第２の二次巻線
Ｄ１１  ダイオード
Ｔ１１  トランス
Ｌ１１  一次巻線
Ｌ２１  二次巻線
１００  インバータ（電力供給路）
１３１，１３２，１３３，１３４  駆動回路
１４０  制御回路
Ｓ１３１，Ｓ１３２，Ｓ１３３，Ｓ１３４  スイッチング素子（能動素子）
【図１】
0006706791.tif 000002
【図２】
0006706791.tif 000003
【図３】
0006706791.tif 000004
【図４】
0006706791.tif 000005
【図５】
0006706791.tif 000006